(57)【要約】【課題】屋内側の水を排水可能であるとともに、高い断熱性を有する折れ戸を提供する。【解決手段】折れ戸１００では、枠体の下枠１２は、金属製の屋外側形材１２Ａと、屋内側に配置された金属製の屋内側形材１２Ｂと、屋外側形材１２Ａと屋内側形材１２Ｂとを連結し、屋外側形材１２Ａ及び屋内側形材１２Ｂよりも熱伝導率が低い連結材１２Ｃと、を有し、屋内側形材１２Ｂには、屋外側に配置された屋外側壁部ｇ１１、屋内側に配置された屋内側壁部ｇ１３及び屋外側壁部ｇ１１の下端部と屋内側壁部ｇ１３の下端部とを連結する底部ｇ１２から形成され下方に凹む溝部Ｇ１と、障子２の下端部と当接して障子２の下端部と下枠１２との間の隙間Ｔを閉塞する気密部４０と、が設けられ、連結材１２Ｃは、溝部Ｇ１の外方に配置され、屋外側壁部ｇ１１には水を排水可能な排水孔１４２ｈが形成され、排水孔１４２ｈは連結材１２Ｃよりも上方に配置されている。【選択図】図３
2019196601.tif 000002
【特許請求の範囲】
【請求項１】
建築物の開口部に沿って設置される枠体内に障子が配置され、該障子が折り畳み及び展開されることにより開閉可能とされた折れ戸であって、
前記枠体の下枠は、
屋外側に配置された金属製の屋外側形材と、
屋内側に配置された金属製の屋内側形材と、
前記屋外側形材と前記屋内側形材とを連結し、前記屋外側形材及び前記屋内側形材よりも熱伝導率が低い連結材と、を有し、
前記屋内側形材には、
屋外側に配置された屋外側壁部、屋内側に配置された屋内側壁部及び前記屋外側壁部の下端部と前記屋内側壁部の下端部とを連結する底部から形成され、下方に凹む溝部と、
前記障子の下端部と当接して該障子の下端部と前記下枠との間の隙間を閉塞する気密部と、が設けられ、
前記連結材は、前記溝部の外方に配置され、
前記屋外側壁部には、水を排水可能な排水孔が形成され、
該排水孔は、前記連結材よりも上方に配置されていることを特徴とする折れ戸。
【請求項２】
前記屋内側壁部は、前記障子の下端部における前記気密部と当接可能な当接面よりも屋内側に配置されている請求項１に記載の折れ戸。
【請求項３】
前記気密部は、前記障子の下端部と前記下枠との間の前記隙間を閉塞するシール位置と、前記隙間を開放する開放位置との間を移動可能とされるとともに、前記開放位置で前記溝部に収容されている請求項１または２に記載の折れ戸。
【請求項４】
前記連結材の少なくとも一部は、前記障子の前記当接面よりも屋外側に配置されている請求項２に記載の折れ戸。
【発明の詳細な説明】
【技術分野】
【０００１】
本発明は、折れ戸に関するものである。
【背景技術】
【０００２】
従来から、建築物の開口に設置され建具には、障子と枠体との間に生じる隙間を閉塞するシール部材が設けられている。例えば、下記の特許文献１には、障子の下端部と下枠との間の隙間を閉塞可能な回転シール体が設けられた折れ戸が提案されている。下枠には、折れ戸が開いた際に、回転シール体を収容可能な溝部が形成されている。
【先行技術文献】
【特許文献】
【０００３】
【特許文献１】特開２００６−３７４２４号公報
【発明の概要】
【発明が解決しようとする課題】
【０００４】
しかしながら、上記の特許文献１に記載の折れ戸のように溝部が形成された下枠では、雨水が屋内側に浸入したり、結露水が屋内側で発生したりすると、水が溝部に溜まってしまうという問題点がある。
また、下枠が金属製の場合、外気の冷気が下枠を伝って屋内側に伝達されるため、断熱性が悪いという欠点がある。
【０００５】
そこで、本発明は、上記事情に鑑みてなされたものであり、屋内側の水を排水可能であるとともに、高い断熱性を有する折れ戸を提供する。
【課題を解決するための手段】
【０００６】
上記目的を達成するために、本発明は以下の手段を採用している。
すなわち、本発明に係る折れ戸は、建築物の開口部に沿って設置される枠体内に障子が配置され、該障子が折り畳み及び展開されることにより開閉可能とされた折れ戸であって、前記枠体の下枠は、屋外側に配置された金属製の屋外側形材と、屋内側に配置された金属製の屋内側形材と、前記屋外側形材と前記屋内側形材とを連結し、前記屋外側形材及び前記屋内側形材よりも熱伝導率が低い連結材と、を有し、前記屋内側形材には、屋外側に配置された屋外側壁部、屋内側に配置された屋内側壁部及び前記屋外側壁部の下端部と前記屋内側壁部の下端部とを連結する底部から形成され、下方に凹む溝部と、前記障子の下端部と当接して該障子の下端部と前記下枠との間の隙間を閉塞する気密部と、が設けられ、前記連結材は、前記溝部の外方に配置され、前記屋外側壁部には、水を排水可能な排水孔が形成され、該排水孔は、前記連結材よりも上方に配置されていることを特徴とする。
【０００７】
このように構成された折れ戸では、気密部（気密材）が障子の下端部と当接することにより、障子の下端部と下枠との間の隙間が閉塞される。溝部を形成する屋外側壁部には、水を排水可能な排水孔が形成されている。これにより、屋内側に浸入した雨や、屋内側で発生した結露水等の水は、溝部の排水孔を通過する。排水孔は連結材よりも上方に配置されているため、連結材が排水孔を通過した水の支障となることなく、屋内側の水は屋外に排水される。
また、金属製の屋外側形材と金属製の屋内側形材との間には、屋外側形材及び屋内側形材よりも熱伝導率が低い連結材が配置されている。よって、連結材が屋外側形材と屋内側形材との間の熱伝達を絶縁するため、断熱性を高めることができる。
【０００８】
また、本発明に係る折れ戸では、前記屋内側壁部は、前記障子の下端部における前記気密部と当接可能な当接面よりも屋内側に配置されていることが好ましい。
【０００９】
このように構成された折れ戸では、溝部を形成する屋内側壁部は、障子の下端部における気密部と当接可能な当接面よりも屋内側に配置されている。よって、障子よりも屋内側の水を溝部の排水孔を通過させて、屋外側に排水することができる。
【００１０】
また、本発明に係る折れ戸では、前記気密部は、前記障子の下端部と前記下枠との間の前記隙間を閉塞するシール位置と、前記隙間を開放する開放位置との間を移動可能とされるとともに、前記開放位置で前記溝部に収容されていることが好ましい。
【００１１】
このように構成された折れ戸では、気密部は開放位置で溝部に収容されるため、障子が開いた状態で、下枠に設けられた気密部が歩行等の妨げ等になることがない。
【００１２】
また、本発明に係る折れ戸では、前記連結材の少なくとも一部は、前記障子の前記当接面よりも屋外側に配置されていてもよい。
【００１３】
このように構成された折れ戸では、連結材の少なくとも一部は障子の当接面よりも屋外側に配置されているため、気密材よりも屋内側部分の断熱性が高められる。
【発明の効果】
【００１４】
本発明に係る折れ戸によれば、屋内側の水を排水可能であるとともに、高い断熱性を有する。
【図面の簡単な説明】
【００１５】
【図１】本発明の一実施形態に係る折れ戸を屋内側から見た斜視図である。
【図２】本発明の一実施形態に係る折れ戸の横断面図である。
【図３】本発明の一実施形態に係る折れ戸の縦断面図である。
【図４】図３の下部の拡大図である。
【発明を実施するための形態】
【００１６】
以下、本発明の一実施形態に係る折れ戸について、図１から図４に基づいて説明する。
図１は、本発明の一実施形態に係る折れ戸を屋内側から見た斜視図である。
図１に示すように、折れ戸１００は、建築物の開口部に設けられ、四角形枠状に形成された枠体１と、枠体１に開閉可能に設けられた２枚の障子２と、を備えている。折れ戸１００は、各障子２が折り畳み及び展開されることにより開閉可能とされている。本実施形態では、枠体１内に２枚の障子２が配置されているが、障子２の枚数は適宜設定可能である。
なお、以下の説明において、屋外側と屋内側とを結ぶ方向を屋内外方向と称する。また、開口部が建築物の壁部を貫通する方向（壁部に対向する方向）から見た際の左側と右側を結ぶ水平方向を左右方向と称する。
【００１７】
図２は、折れ戸１００の横断面図である。図３は、折れ戸１００の縦断面図である。
図２及び図３に示すように、枠体１は、屋外側に配置されアルミ合金等の金属材料で形成された金属枠１Ａと、屋内側に配置され合成樹脂材料で形成された樹脂枠１Ｘと、が連結されて構成されている。
【００１８】
枠体１は、左右方向に延在する上枠１１及び下枠１２と、上枠１１の左右方向の両端部と下枠１２の左右方向の両端部とをそれぞれ連結し上下方向に延在する縦枠１３と、を有している。
【００１９】
図３に示すように、上枠１１の金属枠１Ａは、屋外側に配置された外側金属上枠部１１Ａと、屋内側に配置された内側金属上枠部１１Ｂと、を有している。
【００２０】
外側金属上枠部１１Ａと内側金属上枠部１１Ｂとは、外側金属上枠部１１Ａ及び内側金属上枠部１１Ｂよりも熱伝導率が低い材料で形成されたブリッジ材１１Ｃを介して連結されている。ブリッジ材１１Ｃは、熱伝導率が低い樹脂材料やゴム等で形成されている。
【００２１】
下枠１２の金属枠１Ａは、屋外側に配置された外側金属下枠部（屋外側形材）１２Ａと、屋内側に配置された内側金属下枠部（屋内側形材）１２Ｂと、を有している。
【００２２】
外側金属下枠部１２Ａと内側金属下枠部１２Ｂとは、外側金属下枠部１２Ａ及び内側金属下枠部１２Ｂよりも熱伝導率が低い材料で形成されたブリッジ材（連結材）１２Ｃを介して連結されている。換言すると、外側金属下枠部１２Ａと内側金属下枠部１２Ｂとの間には、ブリッジ材１２Ｃ以外の部材が配置されていない。ブリッジ材１２Ｃは、熱伝導率が低い樹脂材料やゴム等で形成されている。
【００２３】
図１に示すように、各障子２は、一対の戸体２Ｄと、戸体２Ｄどうしを連結する連結框３と、を有している。
【００２４】
各戸体２Ｄは、四角形状に形成された框体２０と、框体２０内に嵌め込まれたガラス２９と、を有している。
【００２５】
図２及び図３に示すように、框体２０は、左右方向に延在する上框２１及び下框２２と、上框２１の左右方向の両端部と下框２２の左右方向の両端部とをそれぞれ連結し上下方向に延在する縦框２３と、を有している。
【００２６】
図３に示すように、各縦框２３（図２参照。以下同じ。）の上端部には、吊車（不図示。以下同じ。）が上方に突出して設けられている。吊車は、上枠１１に設けられた左右方向に延びる吊レール１１０上に係合され、吊レール１１０に沿って走行可能とされている。このように、本実施形態の折れ戸１００は、障子２の上端部が上枠１１に支持された所謂上吊りの構成とされている。
【００２７】
縦框２３のうち連結框３側と反対側の縦框２３の下端部には、ガイドローラ（不図示。以下同じ。）が下方に突出して設けられている。ガイドローラは、下枠１２に設けられた左右方向に延びるガイド溝Ｇ３に挿入されて、ガイド溝Ｇ３に案内されて左右方向に移動可能とされている。
【００２８】
図１に示すように、連結框３は、一対の戸体２Ｄの一端部（隣り合う戸体２Ｄ側の端部）どうしを連結している。連結框３には、上下方向に延びるヒンジ軸３１（図２参照。以下同じ。）が設けられている。戸体２Ｄは、ヒンジ軸３１回りに回動可能とされている。
【００２９】
連結框３の屋内側には、ハンドル３２が設けられている。図３に示すように、連結框３内の中空部３ｓ（図２参照。以下同じ。）には、ロック部材３３が設けられている。ロック部材３３は、ハンドル３２（図２参照。以下同じ。）と不図示の連動機構を介して連結され、ハンドル３２の操作と連動して上下方向に移動可能に構成されている。
【００３０】
ロック部材３３の下端部には、下方に突出するロック部３３ａ及び押圧部３３ｂが設けられている。ハンドル３２の操作（ロック操作）により、ロック部材３３が連結框３の中空部３ｓ内を下方に移動し、ロック部３３ａが下枠１２のガイド溝Ｇ３内に挿入される。これにより、戸体２Ｄが閉状態でロックされる。また、ハンドル３２の操作（ロック解除操作）により、ロック部材３３が連結框３の中空部３ｓ内を上方に移動し、ロック部３３ａが下枠１２のガイド溝Ｇ３から抜け出される。これにより、戸体２Ｄのロックが解除される。連結框３の上端部には、上枠１１に設けられた左右方向に延びる吊レール１１０に挿入可能なロッドガイド３４が設けられている。
【００３１】
次に、下枠１２及び下枠１２に設けられた回転シール体４０の構成について詳細に説明する。
図４は、図３の下部の拡大図である。
図４に示すように、下枠１２の外側金属下枠部１２Ａは、中段板部１２１と、下段板部１２２と、下部外側板部１２３と、内側板部１２４と、外側溝構成板部１２７と、上部外側板部１２８と、上段板部１２９と、を有している。
【００３２】
中段板部１２１は、板状に形成されている。中段板部１２１は、板厚方向を上下方向に向けて配置されている。
【００３３】
中段板部１２１の上面には、溝構成部材１６０が設けられている。溝構成部材１６０は、固定板部１６１と、内側溝構成板部１６２と、を有している。溝構成部材１６０は、下枠１２の延在方向（左右方向）の略全長にわたって設けられている。
【００３４】
固定板部１６１は、板状に形成されている。固定板部１６１は、板厚方向を上下方向に向けて配置されている。固定板部１６１は、中段板部１２１に螺子止めされている。
【００３５】
内側溝構成板部１６２は、固定板部１６１から立設されている。内側溝構成板部１６２は、板状に形成されている。内側溝構成板部１６２は、板厚方向を屋内外方向に向けて配置されている。
【００３６】
内側溝構成板部１６２の下部には、屋内外方向に貫通する排水孔１６２ｈが形成されている。本実施形態では、排水孔１６２ｈは、下枠１２の左右方向の両端部近傍に形成されている。
【００３７】
下段板部１２２は、板状に形成されている。下段板部１２２は、中段板部１２１の下方に配置されている。下段板部１２２は、屋外側の方が屋内側よりも下方に配置されるように傾斜している。
【００３８】
下部外側板部１２３は、中段板部１２１の屋外側の端部と下段板部１２２の屋外側の端部とを連結している。下部外側板部１２３は、板状に形成されている。下部外側板部１２３は、板厚方向を屋内外方向に向けて配置されている。
【００３９】
内側板部１２４は、中段板部１２１の屋内側の端部と下段板部１２２の屋内側の端部とを連結している。内側板部１２４は、板状に形成されている。中段板部１２１の屋内側の端部は、下段板部１２２の屋内側の端部よりも屋外側に配置されている。このため、内側板部１２４は、上方に向かうにしたがって次第に屋外側に向かうように傾斜して配置されている。
【００４０】
内側板部１２４には、屋内側に向かって突出する一対の突起部１２４ａ，１２４ｂが形成されている。突起部１２４ａ，１２４ｂは、上下方向に離間して配置されている。
【００４１】
外側溝構成板部１２７は、中段板部１２１の屋内外方向の中間から上方に立設されている。外側溝構成板部１２７は、内側溝構成板部１６２よりも屋外側に配置されている。外側溝構成板部１２７は、板状に形成されている。外側溝構成板部１２７は、板厚方向を屋内外方向に向けて配置されている。
【００４２】
外側溝構成板部１２７の下部には、屋内外方向に貫通する排水孔１２７ｈが形成されている。本実施形態では、排水孔１２７ｈは、下枠１２の左右方向の両端部近傍に形成されている。
【００４３】
上部外側板部１２８は、中段板部１２１の屋外側の部分から上方に立設されている。上部外側板部１２８は、板状に形成されている。上部外側板部１２８は、板厚方向を屋内外方向に向けて配置されている。
【００４４】
上部外側板部１２８の下部には、屋内外方向に貫通する排水孔１２８ｈが形成されている。本実施形態では、排水孔１２８ｈは、下枠１２の左右方向の両端部近傍に形成されている。排水孔１２８ｈには、屋内側から屋外側への排水を可能な排水カバー１３８が設けられている。
【００４５】
上段板部１２９は、外側溝構成板部１２７の上端部と上部外側板部１２８の上端部とを連結している。上段板部１２９は、板状に形成されている。上段板部１２９は、板厚方向を上下方向に向けて配置されている。上段板部１２９の屋外側の部分は、屋外側に向かうにしたがって次第に下方に向かうようにわずかに傾斜している。
【００４６】
中段板部１２１、下部外側板部１２３、下段板部１２２及び内側板部１２４により、左右方向に延在する下部ホローＳ１が形成されている。上段板部１２９、上部外側板部１２８、中段板部１２１及び外側溝構成板部１２７により、左右方向に延在する上部ホローＳ２が形成されている。下部ホローＳ１及び上部ホローＳ２は、下枠１２の延在方向（左右方向）の略全長にわたって形成されている。
【００４７】
下枠１２の内側金属下枠部１２Ｂは、筒状に形成された筒状部１４０を有している。筒状部１４０の内部には、左右方向に延在する屋内側ホローＳ３が形成されている。屋内側ホローＳ３は、下枠１２の延在方向（左右方向）の略全長にわたって形成されている。
【００４８】
筒状部１４０は、底板部１４１と、シール支持板部１４２と、立設壁部１４３と、折曲壁部１４４と、一対の係止壁部１４５，１４６と、傾斜板部１４７と、下部壁部１４８と、を有している。
【００４９】
底板部１４１は、板状に形成されている。底板部１４１は、板厚方向を上下方向に向けて配置されている。
【００５０】
シール支持板部１４２は、底板部１４１の屋外側の端部から上方に立設されている。シール支持板部１４２は、板状に形成されている。シール支持板部１４２は、板厚方向を屋内外方向に向けて配置されている。
【００５１】
シール支持板部１４２の上端部には、屋内外方向且つ上下方向に沿う断面が略円形状の回動軸部１４２ａが設けられている。回動軸部１４２ａは、左右方向に延びている。
【００５２】
シール支持板部１４２の下部には、屋内外方向に貫通する排水孔１４２ｈが形成されている。本実施形態では、排水孔１４２ｈは、下枠１２の左右方向の両端部近傍に形成されている。排水孔１４２ｈには逆止弁１３２が設けられ、水の逆流（屋内側への浸入）が抑制されている。
【００５３】
立設壁部１４３は、底板部１４１の屋内側の端部から上方に立設されている。折曲壁部１４４は、立設壁部１４３の上端部から屋内側に向かって延びている。
【００５４】
一対の係止壁部１４５，１４６は、折曲壁部１４４から上方に立設され、屋内外方向に離間して配置されている。係止壁部１４５，１４６に下枠１２の樹脂枠１Ｘが係止されている。係止壁部１４５は、係止壁部１４６よりも屋外側に配置されている。
【００５５】
傾斜板部１４７は、底板部１４１の屋内側の端部から斜め下方に延びるように設けられている。傾斜板部１４７は、下方に向かうにしたがって次第に屋内側に向かうように傾斜して配置されている。
【００５６】
下部壁部１４８は、傾斜板部１４７の下端部と折曲壁部１４４の屋内側の端部とを連結している。
【００５７】
傾斜板部１４７には、屋外側に向かって突出する一対の突起部１４７ａ，１４７ｂが形成されている。突起部１４７ａ，１４７ｂは、上下方向に離間して配置されている。
【００５８】
下枠１２のブリッジ材１２Ｃは、外側金属下枠部１２Ａの内側板部１２４と、内側金属下枠部１２Ｂの傾斜板部１４７との間に挟み込まれている。ブリッジ材１２Ｃは、外側金属下枠部１２Ａの一対の突起部１２４ａ，１２４ｂ及び内側金属下枠部１２Ｂの一対の突起部１４７ａ，１４７ｂに係止されている。
【００５９】
下方に向かうにしたがって次第に屋内側に向かうように傾斜して配置された傾斜板部１４７の屋外側を向く面に沿ってブリッジ材１２Ｃが配置され、傾斜板部１４７の上端部から上方に立設されたシール支持板部１４２に排水孔１４２ｈが形成されているため、排水孔１４２ｈはブリッジ材１２Ｃの上方に配置されている。
【００６０】
下枠１２には、シール支持板部１４２と立設壁部１４３及び係止壁部１４５との間に、後述する回転シール体４０を収容可能なシール溝（溝部）Ｇ１が形成されている。詳細には、シール溝Ｇ１は、シール支持板部１４２、底板部１４１、立設壁部１４３及び係止壁部１４５で形成されている。シール溝Ｇ１は、下方に凹む形状をなしている。シール溝Ｇ１の外方（溝の外）に、ブリッジ材１２Ｃが配置されている。
【００６１】
シール支持板部１４２が、シール溝Ｇ１の屋外側の壁部（屋外側壁部）ｇ１１を形成している。底板部１４１が、シール溝Ｇ１の底部ｇ１２を形成している。立設壁部１４３及び係止壁部１４５が、シール溝Ｇ１の屋内側の壁部（屋内側壁部）ｇ１３を形成している。
【００６２】
下枠１２には、溝構成部材１６０の内側溝構成板部１６２とシール支持板部１４２との間に、ロック部材３３の押圧部３３ｂが配置される挿入溝Ｇ２が形成されている。詳細には、挿入溝Ｇ２は、内側溝構成板部１６２、溝構成部材１６０の固定板部１６１、内側板部１２４の突起部１２４ａ、ブリッジ材１２Ｃの上面、傾斜板部１４７の突起部１４７ａ及びシール支持板部１４２で形成されている。挿入溝Ｇ２は、下方に凹む形状をなしている。
【００６３】
下枠１２には、外側溝構成板部１２７と溝構成部材１６０の内側溝構成板部１６２との間に、ガイドローラ及びロック部材３３のロック部３３ａが挿入されるガイド溝Ｇ３が形成されている。詳細には、ガイド溝Ｇ３は、外側溝構成板部１２７、溝構成部材１６０の固定板部１６１及び内側溝構成板部１６２で形成されている。ガイド溝Ｇ３は、下方に凹む形状をなしている。
【００６４】
回転シール体４０は、下枠１２に回動可能に設けられている。図１に示すように、本実施形態では、一対の回転シール体４０が隣接配置され、下枠１２の延在方向（左右方向）の略全長にわたって設けられている。
【００６５】
図４に示すように、回転シール体（気密部）４０は、内周部材４１と、外周部材４２と、シール部材４３と、を有している。
【００６６】
内周部材４１は、屋内外方向且つ上下方向に沿う断面で略扇状をなしている。内周部材４１は、回動軸部１４２ａから延び、回動軸部１４２ａから離間するにしたがって次第に互いに離間するように形成された一対の延出部４１１を有している。延出部４１１における回動軸部１４２ａ側と反対側の部分どうしは内周側湾曲部４１２で連結されている。
【００６７】
一対の延出部４１１における内周側湾曲部４１２と反対側の端部には、軸受け部４１３が設けられている。軸受け部４１３は、回動軸部１４２ａ回りに回動可能に設けられている。
【００６８】
軸受け部４１３の外周面に沿って、被押圧部４１４が設けられている。障子２が開いた開状態では、回転シール体４０は図４に二点鎖線で示す開放位置Ａ１に配置され、軸受け部４１３は屋外側に向かうにしたがって次第に下方に向かうように配置されている。障子２が閉じた閉状態では、回転シール体４０は図４に実線で示すシール位置Ａ２に配置され、軸受け部４１３は鉛直下方に向かって配置されている。
【００６９】
外周部材４２は、回動軸部１４２ａを中心とする周方向において、内周部材４１の内周側湾曲部４１２の外周側に設けられている。外周部材４２は、内周部材４１の内周側湾曲部４１２の外周側に沿う外周側湾曲部４２１を有している。外周側湾曲部４２１と内周側湾曲部４１２とは係止され、連結されている。
【００７０】
シール部材４３は、障子２の閉状態で、内周部材４１における障子２に近接する側に係止されている。シール位置Ａ２で、シール部材４３は、障子２の下框２２に当接している。
【００７１】
上記の回転シール体４０は、開状態では、回転シール体４０の自重により、外周側湾曲部４２１側を下方に向けるように配置されている。回転シール体４０は、下枠１２のシール溝Ｇ１に収容され、開放位置に配置されている。開放位置では、障子２の下端部と下枠１２との間の隙間Ｔは開放されている。
【００７２】
この状態で、ハンドル３２を操作（ロック操作）して、ロック部材３３が下方に移動すると、押圧部３３ｂが回転シール体４０の被押圧部４１４に当接する。ロック部材３３がさらに下方に移動すると、押圧部３３ｂから被押圧部４１４に作用する押圧力により、回転シール体４０は下枠１２の回動軸部１４２ａを中心に回動しシール溝Ｇ１から突出して、シール位置Ａ２に配置される。シール位置Ａ２では、回転シール体４０のシール部材４３の屋外側を向く面４３ａが障子２の下框２２の屋内側を向く面（当接面）２２ａに当接し、障子２の下端部と下枠１２との間の隙間Ｔを塞いでいる。
【００７３】
シール位置Ａ２では、シール部材４３の面４３ａ及び下框２２の面２２ａに沿って、略鉛直面に沿う気密ラインＬが形成されている。
【００７４】
シール溝Ｇ１の少なくとも一部は、気密ラインＬよりも屋内側に配置されている。本実施形態では、シール溝Ｇ１のシール支持板部１４２の屋内側を向く面が、気密ラインＬに概ね沿うように配置されている。
【００７５】
ブリッジ材１２Ｃは、気密ラインＬ上（気密ラインＬの鉛直下方）に配置されている。ブリッジ材１２Ｃの少なくとも一部は、気密ラインＬよりも屋外側に配置されている。本実施形態では、ブリッジ材１２Ｃのほとんどの部分が気密ラインＬよりも屋外側に配置されている。
【００７６】
シール溝Ｇ１内に浸入した雨水や屋内側で発生した結露水等の水は、シール支持板部１４２の排水孔１４２ｈを通過して挿入溝Ｇ２内に進む。次に、水は、内側溝構成板部１６２の排水孔１６２ｈを通過してガイド溝Ｇ３内に進み、外側溝構成板部１２７の排水孔１２７ｈを通過して上部ホローＳ２内に進み、上部外側板部１２８の排水孔１２８ｈから屋外に排水される（図４に示す二点鎖線Ｂ１参照）。
【００７７】
このように構成された折れ戸１００では、回転シール体４０のシール部材４３が障子２の下端部と当接することにより、障子２の下端部と下枠１２との間の隙間Ｔが閉塞される。シール溝Ｇ１を形成する屋外側の壁部ｇ１１（シール支持板部１４２）には、排水孔１４２ｈが形成されている。これにより、屋内側に浸入した雨や、屋内側で発生した結露水等の水は、シール溝Ｇ１の排水孔１４２ｈを通過する。排水孔１４２ｈはブリッジ材１２Ｃよりも上方に配置されているため、ブリッジ材１２Ｃが排水孔１４２ｈを通過した水の支障となることなく、屋内側の水は屋外に排水される。
【００７８】
また、シール溝Ｇ１を形成する屋内側の壁部ｇ１３は、気密ラインＬよりも屋内側に配置されている。シール溝Ｇ１を形成する屋外側の壁部ｇ１１（シール支持板部１４２）には、排水孔１４２ｈが形成されている。よって、気密ラインＬよりも屋内側の水をシール溝Ｇ１の排水孔１４２ｈを通過させて、屋外側に排水することができる。
【００７９】
水が気密ラインＬを超えて屋内側に浸入し、シール溝Ｇ１に水が溜まってしまうと、開放位置の回転シール体４０がシール溝Ｇ１に溜まった水で浮いてしまい、回転シール体４０がシール溝Ｇ１に収容できない場合がある。本実施形態では、シール溝Ｇ１の壁部ｇ１１（シール支持板部１４２）の排水孔１４２ｈから水を排水できるため、回転シール体４０をシール溝Ｇ１内に確実に収容することができる。
【００８０】
また、金属製の外側金属下枠部１２Ａと金属製の内側金属下枠部１２Ｂとの間には、外側金属下枠部１２Ａ及び内側金属下枠部１２Ｂよりも熱伝導率が低い材料で形成されたブリッジ材１２Ｃが配置されている。よって、ブリッジ材１２Ｃが外側金属下枠部１２Ａと内側金属下枠部１２Ｂとの間の熱伝達を絶縁するため、断熱性を高めることができる。
【００８１】
また、回転シール体４０は開放位置でシール溝Ｇ１に収容されるため、障子２が開いた状態で、下枠１２に設けられた回転シール体４０が歩行等の妨げ等になることがない。
【００８２】
また、シール溝Ｇ１に溜まった水は、挿入溝Ｇ２及びガイド溝Ｇ３それぞれに溜まった水と合流して排水される。よって、溝Ｇ１，Ｇ２，Ｇ３の排水経路をそれぞれ別々に設けるよりも、排水経路を効率的にまとめることができる。
【００８３】
また、外側金属下枠部１２Ａと内側金属下枠部１２Ｂとをブリッジ材１２Ｃで連結する際には、外側金属下枠部１２Ａの内側板部１２４と内側金属下枠部１２Ｂの傾斜板部１４７との間にブリッジ材１２Ｃを挟み込。斜め上下方向からローラーでブリッジ材１２Ｃを押さえつけ、突起部１２４ａ，１２４ｂ，１４７ａ，１４７ｂをブリッジ材１２Ｃにかしめる。本実施形態では、外側金属下枠部１２Ａに溝構成部材１６０を螺子止めする構成であるため、溝構成部材１６０を外側金属下枠部１２Ａに取り付ける前に、ローラーを外側溝構成板部１２７とシール支持板部１４２との間の空間に挿入することができる。よって、外側溝構成板部１２７とシール支持板部１４２との間にローラーを配置する空間を確保できるため、ブリッジ材１２Ｃを取り付ける際の作業性が良い。
【００８４】
なお、上述した実施の形態において示した各構成部材の諸形状や組み合わせ等は一例であって、本発明の主旨から逸脱しない範囲において設計要求等に基づき種々変更可能である。
【００８５】
例えば、上記に示す実施形態では、気密部は下枠１２に回動可能に設けられた回転シール体４０であるが、本発明はこれに限られない。気密部は下枠１２に上下方向に移動可能とされ障子２の閉状態で上方に突出して障子２と当接可能な構成や、下枠１２に（移動不能に）固定された構成であってもよい。
【００８６】
また、上記に示す実施形態では、溝部は回転シール体４０が収容可能なシール溝Ｇ１であるが、本発明はこれに限られない。障子２の屋内側に網戸（不図示）が設けられ、溝部に網戸の下端部が配置される構成であってもよい。
【符号の説明】
【００８７】
１…枠体
１Ａ…金属枠
１Ｘ…樹脂枠
２…障子
２Ｄ…戸体
３…連結框
１１…上枠
１２…下枠
１２Ａ…外側金属下枠部（屋外側形材）
１２Ｂ…内側金属下枠部（屋内側形材）
１２Ｃ…ブリッジ材（連結材）
１３…縦枠
２０…框体
２２ａ…面（当接面）
３２…ハンドル
３３…ロック部材
３３ａ…ロック部
３３ｂ…押圧部
４０…回転シール体（気密部）
４３…シール部材
１００…折れ戸
１４２ａ…回動軸部
１４２ｈ…排水孔
４１４…被押圧部
Ａ１…開放位置
Ａ２…シール位置
Ｇ１…シール溝（溝部）
Ｇ２…挿入溝
Ｇ３…ガイド溝
ｇ１１…シール溝（溝部）Ｇ１の屋外側の壁部（屋外側壁部）
ｇ１２…底部
ｇ１３…シール溝（溝部）Ｇ１の屋内側の壁部（屋内側壁部）
Ｌ…気密ライン
Ｓ１…下部ホロー
Ｓ２…上部ホロー
Ｓ３…屋内側ホロー
Ｔ…隙間
【図１】
2019196601.tif 000003
【図２】
2019196601.tif 000004
【図３】
2019196601.tif 000005
【図４】
2019196601.tif 000006